(57)【要約】      （修正有）【課題】配線類が収納できるリフォーム用の巾木。【解決手段】配線収納巾木（Ａ）に配線用貫通穴（Ｃ）と配線収納カバー差し込み口（Ｄ）を設け、配線収納カバー（Ｂ）を配線収納巾木（Ａ）に設置してある配線収納カバー差し込み口（Ｄ）に配線完了後差し込む仕組みである。取り付け方法は、既存の巾木を取り外し、石膏ボードを既存の巾木と同じ大きさに切断撤去し（※おおむね６０ｍｍから８０ｍｍ）、配線収納巾木（Ａ）を切断した石膏ボード部分に差し込み、釘にて固定し、配線完了後、配線収納カバー（Ｂ）を配線収納巾木（Ａ）に設置してある配線収納カバー差し込み口（Ｄ）に差し込み固定する仕組みで、最後に出隅・入隅に専用コーナーキャップ（Ｅ）（Ｆ）を差し込み固定する構造。【選択図】図１
2010270580.tif 000002
【特許請求の範囲】
【請求項１】
配線収納巾木本体（Ａ）に配線貫通穴（Ｃ）と配線スペースカバー差し込み口（Ｄを設け、配線収納巾木本体と配線カバー（Ｂ）及び配線収納入隅コナーキャップ（Ｆ）出隅コーナーキャップ（Ｅ）設けた、二段構造のリフォーム用配線収納巾木である。
【発明の詳細な説明】
【技術分野】
【０００１】この発明は、配線収納巾木本体（Ａ）に配線用貫通穴（Ｃ）と配線カバー差し込み口（Ｄ）を設け、配線収納カバー（Ｂ）及び出隅、入隅にコーナーキャップ（Ｅ）（Ｆ）を設けた、二段構造のリフォーム用配線収納巾木に関するものである。
【背景技術】
【０００２】  今現在、急速に普及しているインターネットなどにおいて屋内で使用するラン配線や光ケーブルを部屋の隅々まで配線するのに、露出で床にはわせて配線する方法が既存住宅で行われることは普通で、隠して配線を部屋の各所にもってゆくことが既存の住宅では不可能であった。又、パソコンを他の場所で使用するときなどにおいても光ケーブルやラン配線を露出で床にはわす方法が一般的な配線方法であり、他の方法は無かった。又、テレビのアンテナの差し込み口が無い場所にテレビを設置してテレビを見る時など、床に露出で配線することは避けたいが、今まではこの様なリフォーム用配線収納巾木に納める方法が無く、露出で配線モールなどに納めて配線していたのが普通であった。又、部屋の中に何か配線を施したい場合（※他の場所に照明器具を取り付けたい場合や、スイッチやコンセントを増設したい場合など）壁を壊し壁の中から配線を出し直し、内装を貼り替え補修で復旧していた。又、電気器具や電話機を移動したい時など配線を露出で他の場所へ持ってゆくか配線を露出のモールの中に隠くすかの方法で処理していた。
【発明の開示】
【発明が解決しようとする課題】
【０００３】  これは、次のような欠点があった。
（イ）新たに部屋の中に配線する場合壁を広範囲わたり、壊さなければ配線出来なか          った。
（ロ）部屋の他の場所に配線を持ってゆく場合露出配線となってしまった。
（ハ）内装材を壊しクロスなどを貼り替えなければならなかった。
本発明は、以上のような欠点をなくすためになされたものである。
【課題を解決するための手段】
【０００４】  配線収納巾木本体（Ａ）に配線用貫通穴（Ｃ）と配線収納スペースカバー差し込み口（Ｄを）設け、配線収納スペースカバー（Ｂ）を配線収納巾木（Ａ）に配線完了後差し込む仕組みであり、既存の巾木を取り外し、石膏ボードを巾木と同じ大きさに切断撤去し（おおむね６０ｍｍから８０ｍｍ）、配線収納巾木（Ａ）を切断撤去した石膏ボード部分に差し込み、既存建物構造体の間柱等に釘止めし固定、配線完了後配線収納スペースカバー（Ｂ）を配線収納巾木（Ａ）に設置してある配線収納カバー差し込み口（Ｄ）に差し込み固定する仕組みである。又、建物の壁の中から配線を取り出したい場合（※他の場所に照明器具を取り付けたい場合や、スイッチやコンセントを増設したい場合など）配線巾木本体（Ａ）に配線用貫通穴（Ｃ）から既存建物の下枠材等をドリルなどで貫通させ、その中から配線を取り出し配線巾木にはわせた後、配線カバー（Ｂ）を配線巾木本体（Ａ）に設置してある配線カバー差し込み口（Ｄ）に差し込む。出隅・入隅部分のコーナーには専用コーナーキャップ（Ｅ）（Ｆ）を差し込む、本発明は以上の構成による、リフォーム用配線収納巾木である。
【発明の効果】
【０００５】  今現在、急速に普及しているインターネットなどにおいて使用するラン配線や光ケーブルを既存の住宅の部屋の隅々まで配線するのに、露出配線するのではなく配線を隠して部屋の各所に持ってゆき、パソコン及び周辺機器（プリンターやコピー機など）に接続して使い、光ケーブル線をリフォーム用配線収納巾木に納めることは光ケーブル配線を保護する目的も兼ねている。又、テレビのアンテナ差し込み口が無い場所でテレビを見たい場合など、テレビのアンテナ線をリフォーム用配線収納巾木の中に納めて部屋の隅々へ配線すれば綺麗に整然と配線を納めることが出来る。並びに、既存住宅においては、照明器具を新たに設置したい場合やスイッチ及びコンセントなどを増設する場合など、壁の中の配線を他の場所へ移動なければならない事が生じてくる。又、部屋内部の露出になっている電気器具や電話機を移動する際、電話線や電気コードなどを隠して配線したい場合、このリフォーム用配線収納巾木の中に収納して綺麗に整然と収める事ができる。又、配線作業に際し壁を最小限に壊すので内装材などの貼り替えなどの補修工事が掛からない事が最大の特徴である。配線収納巾木（Ａ）に配線用貫通穴（Ｃ）と配線収納カバー差し込み口（Ｄを）設け、配線収納カバー（Ｂ）を配線収納巾木（Ａ）に設置してある配線収納カバー差し込み口（Ｄ）に配線完了後差し込む仕組みである。取り付け方法は、既存の巾木を外し、石膏ボードを既存の巾木と同じ大きさに切断撤去し（おおむね６０ｍｍから８０ｍｍ）、配線収納巾木（Ａ）を切断した石膏ボード部分に差し込み、釘にて固定し、配線完了後、配線収納カバー（Ｂ）を配線収納巾木（Ａ）に設置してある配線収納カバー差し込み口（Ｄ）に差し込み固定する仕組みである。又、建物の壁の中から既存の配線を取り出したい場合（※照明器具を新規に取り付けたい場合や、スイッチ及びコンセントを増設したい場合など）、配線収納巾木本体（Ａ）に配線用貫通穴（Ｃ）から既存建物の下枠等をドリルなどで貫通させ（※既存の建物に下枠等がある場合）、その中から配線を取り出し、配線巾木にはわせた後、配線収納カバー（Ｂ）を配線収納巾木本体（Ａ）に設置してある配線カバー差し込み口（Ｄ）に差し込み、固定し、出隅・入隅には専用コーナーキャップ（Ｅ）（Ｆ）をさしこむ構造であり。石膏ボードの中に配線カバーが１２．５ｍｍ入り込むので配線スペースが広く取れるのがもう一つの特徴である。本発明は、以上の構成よりなる、リフォーム用配線収納巾木である。
【発明を実施するための最良の形態】
【０００６】  以下本発明を実施するための最良の形態について説明する。今現在、急速に普及しているインターネットなどにおいて使用するラン配線や光ケーブルを既存の住宅の部屋の隅々まで配線するのに、露出配線するのではなく配線を隠して部屋の各所に持ってゆき、パソコン及び周辺機器（プリンターやコピー機など）に接続して使い、光ケーブル線をリフォーム用配線収納巾木に納めることは光ケーブル配線を保護する目的も兼ねている。又、テレビのアンテナ差し込み口が無い場所でテレビを見たい場合など、テレビのアンテナ線をリフォーム用配線収納巾木の中に納めて部屋の隅々へ配線すれば綺麗に整然と配線を納めることが出来る。並びに、既存住宅においては、照明器具を新たに設置したい場合やスイッチ及びコンセントなどを増設する場合など、壁の中の配線を他の場所へ移動なければならない事が生じてくる。又、部屋内部の露出になっている電気器具のコードや電話機を移動する際、電話線などを隠して配線したい場合、このリフォーム用配線収納巾木の中に収納して綺麗に整然と収める事ができる。又、配線作業に際し壁を最小限に壊すので内装材などの貼り替えなどの補修工事が掛からない事と、又、配線収納巾木本体が石膏ボードの中に配線カバー（Ｂ）が１２．５ｍｍ入り込むので配線スペースが大きく取れることも最大の特徴である。配線収納巾木本体（Ａ）に配線用貫通穴（Ｃ）と配線収納カバー差し込み口（Ｄを）設け、配線収納カバー（Ｂ）を配線収納巾木（Ａ）に設置してある配線収納カバー差し込み口（Ｄ）に配線完了後差し込む仕組みである。取り付け方法は、既存の巾木を取り外し、石膏ボードを既存の巾木と同じ大きさに切断撤去し（※おおむね６０ｍｍから８０ｍｍ）、配線収納巾木（Ａ）を切断した石膏ボード部分に差し込み、釘にて固定し、配線完了後、配線収納カバー（Ｂ）を配線収納巾木（Ａ）に設置してある配線収納カバー差し込み口（Ｄ）に差し込み、出隅・入隅に専用のコーナーキャップ（Ｅ）（Ｆ）を差し込み全体を納める構造で固定する仕組みである。又、建物の壁の中から配線を引き出したい場合（※照明器具を新規に取り付けたい場合や、スイッチ及びコンセントを増設したい場合など）配線収納巾木本体（Ａ）に配線用貫通穴（Ｃ）から既存建物の下枠等をドリルなどで貫通させ、その中から配線を出し、配線巾木にはわせた後、配線収納カバー（Ｂ）を配線収納巾木本体（Ａ）に設置してある配線カバー差し込み口（Ｄ）に差し込み、出隅・入隅に専用のコーナーキャップ（Ｅ）（Ｆ）を差し込み全体を固定する構造である。本発明は、以上の構成よりなる、リフォーム用配線収納巾木である。
【図面の簡単な説明】
【０００７】
【図１】リフォーム用配線収納巾木鳥瞰図（１）
【図２】リフォーム用配線用収納巾木鳥瞰図（２）
【図３】リフォーム用配線用収納巾木断面図
【図４】リフォーム用配線用収納巾木施工順序図
【図５】リフォーム用配線収納巾木断面図・立面図
【図６】リフォーム用配線収納巾木鳥瞰図（３）
【図７】リフォーム用配線収納巾木出隅・入隅コーナーキャップ鳥瞰図
【図８】リフォーム用配線収納巾木出隅コーナーキャップ上立面図・横断面図
【図９】リフォーム用配線収納巾木入隅コーナーキャップ上立面図・横断面図
【符号の説明】
【０００８】（Ａ）リフォーム用配線収納巾木本体
（Ｂ）リフォーム用配線収納カバー
（Ｃ）リフォーム用配線用貫通穴
（Ｄ）リフォーム用配線収納カバー差し込み口
（Ｅ）リフォーム用配線収納巾木出隅コーナーキャップ
（Ｆ）リフォーム用配線収納巾木入隅コーナーキャップ
【図１】
2010270580.tif 000003
【図２】
2010270580.tif 000004
【図３】
2010270580.tif 000005
【図４】
2010270580.tif 000006
【図５】
2010270580.tif 000007
【図６】
2010270580.tif 000008
【図７】
2010270580.tif 000009
【図８】
2010270580.tif 000010
【図９】
2010270580.tif 000011